(57)【特許請求の範囲】
【請求項１】
収納方向に押し込まれた移動側レールを係止状態となし、係止状態からさらに押し込まれた移動側レールを係止状態から解除する、固定側レールの収納側端部に取付けられたラッチ部材と、移動側レールの収納側端部に取付けられ、ラッチ部材と係脱自在な案内部材からなるプッシュ式スライドレールの係止装置において、ラッチ部材は、係止状態が解除された移動側レールを所定位置まで押し出す押しバネと、上下方向に摺動可能で、案内部材に係脱自在な係止ピンを有する係止部材と、押しバネと係止部材を保持し固定側レールの収納側端部に連結される保持部材より構成され、移動側レールの係止状態が解除されて案内部材がラッチ部材の引出し側に位置した時の係止ピンの高さ位置を維持し、係止ピンが案内部材と係脱する時は、係止ピンが上下方向に移動可能に係止部材を弾性的に保持する弾性素子が、保持部材と一体に合成樹脂材にて形成されていることを特徴とするプッシュ式スライドレールの係止装置。
【請求項２】
弾性素子は、保持部材との連設部分から遠ざかるに従って、固定側レールの基板から離れる方向に傾斜し、保持部材に取付けられた係止部材の固定側レールの基板側の面に弾性的に圧接する事を特徴とする請求項1に記載のプッシュ式スライドレールの係止装置。
【請求項３】
収納方向に押し込まれた移動側レールを係止状態となし、係止状態からさらに押し込まれた移動側レールを係止状態から解除する、固定側レールの収納側端部に取付けられたラッチ部材と、移動側レールの収納側端部に取付けられ、ラッチ部材と係脱自在な案内部材からなるプッシュ式スライドレールの係止装置において、ラッチ部材は、係止状態が解除された移動側レールを所定位置まで押し出す押しバネと、上下方向に摺動可能で、案内部材に係脱自在な係止ピンを有する係止部材と、押しバネと係止部材を保持し固定側レールの収納側端部に連結される保持部材より構成され、移動側レールの固定側レールに対する係止状態が解除された状態で、係止ピンを常に所定高さに維持する弾性素子が、係止部材と一体に合成樹脂材にて形成されていることを特徴とするプッシュ式スライドレールの係止装置。
【請求項４】
弾性素子は、左右方向に半円形に膨出し、保持部材に形成された案内嵌合部の左右支持面に弾性的に圧接することを特徴とする請求項３に記載のプッシュ式スライドレールの係止装置。
【発明の詳細な説明】
【技術分野】
【０００１】
本発明は、引出し等に使用されるプッシュ式スライドレールの係止装置に関するものである。
【背景技術】
【０００２】
従来、収納方向に押し込む操作で、移動側レールを固定側レールに対して係止状態となし、係止状態からさらに移動側レールを押し込む操作で、移動側レールの係止状態を解除する、いわゆるプッシュ式スライドレールは種々提供されている。
例えば、固定側レールの後端部に取付けられたラッチ部材と、移動側レールに形成された係止ピンからなり、ラッチ部材は、移動側レールが固定側レールに収納、係止された状態で、常に移動側レールを固定側レールから押し出す方向に付勢力を付与する押しバネと、係止ピンの移動に伴って上下動する自動係止部材を有し、自動係止部材は、案内突部と、案内突部の収納側に所定間隔をもって位置するストッパー突部を有し、案内突部は、引出し側から収納側にかけて上向きに傾斜する押し下げ案内面と、押し下げ案内面の引出し側端部から押し下げ案内面より緩やかな角度で収納側にかけて上向きに傾斜する押し上げ案内面と、押し下げ案内面と押し上げ案内面の収納側端部間に形成された引出し側に窪む係止凹部より略横向きハート形に構成され、ストッパー突部は、係止凹部の収納側に所定間隔を有して引出し側方向に突出し、上面に引出し側が下方に傾斜する案内ストッパー面を有し、自動係止部材には上下方向から付勢力が付与されており、この付勢力が吊り合った状態で、押し下げ案内面の引出し側の先端が係止ピンの通過線上の下側に位置し、押上げ案内面の収納側の端部が係止ピンの通過線上の上側に位置し、係止ピンが係止凹部に係止されて、固定側レールに対し移動側レールがロックされた状態で、案内ストッパー面の引出し側の端部は係止ピンの上側に位置しているものがある。（例えば特許文献１参照。）
【０００３】
そして、移動側レールが固定側レールに係止されていない状態では、常に自動係止部材を（係止ピンの場合もあり）所定の位置に保持しておくための付勢手段（通常はバネ）を必要としていた。
そのため、付勢手段を組み込む手間、付勢手段それ自体のコストが必要となり、全体としてコスト高となっていた。
【先行技術文献】
【特許文献】
【０００４】
【特許文献１】特開２００７−３３０６８６号公報
【発明の概要】
【発明が解決しようとする課題】
【０００５】
本発明は、部材点数を少なくし、部材の組立も容易にすることで、全体としてのコストダウンをはかるだけでなく、操作性も確実なプッシュ式スライドレールの係止装置を提供する事を課題とする。
【課題を解決するための手段】
【０００６】
そこで、上記課題を解決する為、本発明が第１の手段として構成したところは、収納方向に押し込まれた移動側レールを係止状態となし、係止状態からさらに押し込まれた移動側レールを係止状態から解除する、固定側レールの収納側端部に取付けられたラッチ部材と、移動側レールの収納側端部に取付けられ、ラッチ部材と係脱自在な案内部材からなるプッシュ式スライドレールの係止装置において、ラッチ部材は、係止状態が解除された移動側レールを所定位置まで押し出す押しバネと、上下方向に摺動可能で、案内部材に係脱自在な係止ピンを有する係止部材と、押しバネと係止部材を保持し固定側レールの収納側端部に連結される保持部材より構成され、移動側レールの係止状態が解除されて案内部材がラッチ部材の引出し側に位置した時の係止ピンの高さ位置を維持し、係止ピンが案内部材と係脱する時は、係止ピンが上下方向に移動可能に係止部材を弾性的に保持する弾性素子が、保持部材と一体に合成樹脂材にて形成されているものである。
【０００７】
次に、上記課題を解決する為、本発明が第２の手段として構成したところは、前記第１の手段としての構成に加えて、弾性素子は、保持部材との連設部分から遠ざかるに従って、固定側レールの基板から離れる方向に傾斜し、保持部材に取付けられた係止部材の固定側レールの基板側の面に弾性的に圧接するものである。
【０００８】
次に、上記課題を解決するため、本発明が第３の手段として構成したところは、収納方向に押し込まれた移動側レールを係止状態となし、係止状態からさらに押し込まれた移動側レールを係止状態から解除する、固定側レールの収納側端部に取付けられたラッチ部材と、移動側レールの収納側端部に取付けられ、ラッチ部材と係脱自在な案内部材からなるプッシュ式スライドレールの係止装置において、ラッチ部材は、係止状態が解除された移動側レールを所定位置まで押し出す押しバネと、上下方向に摺動可能で、案内部材に係脱自在な係止ピンを有する係止部材と、押しバネと係止部材を保持し固定側レールの収納側端部に連結される保持部材より構成され、移動側レールの固定側レールに対する係止状態が解除された状態で、係止ピンを常に所定高さに維持する弾性素子が、係止部材と一体に合成樹脂材にて形成されているものである。
【０００９】
次に、上記課題を解決する為、本発明が第４の手段として構成したところは、前記第３の手段としての構成に加えて、弾性素子は、左右方向に半円形に膨出し、保持部材に形成された案内嵌合部の左右支持面に弾性的に圧接するものである。
【発明の効果】
【００１０】
第１の手段としての構成によると、係止ピンを有する係止部材と押しバネを保持部材に組み込んで一つの部材としたラッチ部材を固定側レールの収納側端部に設け、係止ピンに係脱自在となる案内部材を移動側レールに設けただけの構成であるから、部材点数が少ないので部材管理が容易で、固定側レール、移動側レールに部材取付け用の加工以外は必要としないので、通常のスライドレールを簡単にプッシュ式スライドレールに転用できる。
又、移動側レールの係止状態が解除されて案内部材がラッチ部材の前側に位置した時の係止ピンの高さ位置を維持し、係止ピンが案内部材と係脱する時は、係止ピンが上下方向に移動可能に係止部材を弾性的に保持する弾性素子が、保持部材と一体に合成樹脂材にて形成されているので、従来のように、バネを必要とせず安価に製作できる。
【００１１】
第２の手段としての構成によると、第１の手段としての構成による効果に加え、弾性素子は、保持部材との連設部分から遠ざかるに従って、固定側レールの基板から離れる方向に傾斜し、保持部材に取付けられた係止部材の固定側レールの基板側の面に弾性的に圧接するものであるから、
ラッチ部材の高さ寸法は、弾性素子の取付け位置等に影響されることがなく全体をコンパクトに構成することが出来る。
【００１２】
第３の手段としての構成によると、係止ピンを有する係止部材と押しバネを保持部材に組み込んで一つの部材としたラッチ部材を固定側レールの収納側端部に設け、係止ピンに係脱自在となる案内部材を移動側レールに設けただけの構成であるから、部材点数が少ないので部材管理が容易で、固定側レール、移動側レールに部材取付け用の加工以外は必要としないので、通常のスライドレールを簡単にプッシュ式スライドレールに転用できる。
又、移動側レールの係止状態が解除されて案内部材がラッチ部材の前側に位置した時の係止ピンの高さ位置を維持し、係止ピンが案内部材と係脱する時は、係止ピンが上下方向に移動可能に係止部材を弾性的に保持する弾性素子が、係止部材と一体に合成樹脂材にて形成されているので、従来のように、バネを必要とせず安価に製作できる。
【００１３】
第４の手段としての構成によると、第３の手段としての構成による効果に加え、弾性素子は、左右方向に半円形に膨出し、保持部材に形成された案内嵌合部の左右支持面に弾性的に圧接するものであるから、ラッチ部材の高さ寸法は、弾性素子の取付け位置等に影響されることがなく全体をコンパクトに構成することが出来る。
【図面の簡単な説明】
【００１４】
【図１】第１実施例の発明を具備したスライドレールの斜視図
【図２】図１のＡ−Ａ線要部断面図
【図３】第１実施例のラッチ部材を固定側レールから取外した状態の斜視図
【図４】第１実施例のラッチ部材を表側からみた状態の分解斜視図
【図５】第１実施例のラッチ部材を裏側からみた状態の分解斜視図
【図６】（Ａ）は案内部材を表側からみた状態の斜視図  （Ｂ）は案内部材を裏              側からみた状態の斜視図
【図７】図１のＢ−Ｂ線要部拡大断面図
【図８】図４のＣ−Ｃ線要部拡大断面図
【図９】図７のＤ−Ｄ線要部断面図
【図１０】案内部材が係止ピンの引出し側に位置した状態を示す説明図
【図１１】案内凸部が係止ピンを最も押上げた状態を示す説明図
【図１２】第１上壁面の収納側端部が係止ピンの下方に位置した状態を示す説明図
【図１３】係止面が係止ピンに係止した状態を示す説明図
【図１４】係止面と係止ピンの係止状態が解除された状態を示す説明図
【図１５】第１押上げ壁面が係止ピンを所定位置まで押上げた状態を示す説明図
【図１６】第２実施例のラッチ部材を表側からみた状態の分解斜視図
【図１７】第２実施例の係止部材の斜視図。
【発明を実施するための形態】
【００１５】
本発明は、収納方向に押し込まれた移動側レールを係止状態となし、係止状態からさらに押し込まれた移動側レールを係止状態から解除する、固定側レールの収納側端部に取付けられたラッチ部材と、移動側レールの収納側端部に取付けられ、ラッチ部材と係脱自在な案内部材からなるプッシュ式スライドレールの係止装置において、ラッチ部材は、係止状態が解除された移動側レールを所定位置まで押し出す押しバネと、上下方向に摺動可能で、案内部材に係脱自在な係止ピンを有する係止部材と、押しバネと係止部材を保持し固定側レールの収納側端部に連結される保持部材より構成され、移動側レールの係止状態が解除されて案内部材がラッチ部材の引出し側に位置した時の係止ピンの高さ位置を保持し、係止ピンが案内部材と係脱する時は、係止ピンが上下方向に移動可能に係止部材を弾性的に保持する弾性素子が、保持部材と一体に合成樹脂材にて形成され、弾性素子は、保持部材との連設部分から遠ざかるに従って、固定側レールの基板から離れる方向に傾斜し、保持部材に取付けられた係止部材の固定側レールの基板側の面に弾性的に圧接するものである。
【００１６】
以下、第１実施例のプッシュ式スライドレールの係止装置を添付図面に基づいて詳述する。
【実施例１】
【００１７】
図１、図２において、符号１００はプッシュ式スライドレールを示し、プッシュ式スライドレール１００は、固定側レール１と、ボールリテーナー４に回転自在に保持されたボール４４・・・を介して固定側レール１に摺動自在に保持された中間レール２と、ボールリテーナー５に回転自在に保持されたボール５４・・・を介して中間レール２に摺動自在に保持された移動側レール３より構成され、固定側レール１の後端部内面にはラッチ部材６０が取付けられ、移動側レールの後端部にはラッチ部材６０に対応して案内部材９が取付けられている。
ラッチ部材６０は、上下の押しバネ７、７と、係止部材８と、上下の押しバネ７、７と係止部材８を保持し、固定側レール１の収納側端部に取付けられる弾性素子８０を有する保持部材６より構成されている。以後、図１で左下方向を引出し側、右上方向を収納側として説明する。
【００１８】
すなわち、固定側レール１は、基板１０と、上下折曲縁１１、１１よりチャンネル型に形成され、上下折曲縁１１、１１内面と中間レール２の外面間に位置する複数個のボール４４・・・を介して、中間レール２を摺動自在に保持している。複数個のボール４４・・・は、固定側レール１のほぼ半分程度の長さとなした長尺平板状のボールリテーナー４・・・に回転自在に保持されている。
そして、固定側レール１の基板１０の引き出し側端部には前記ボールリテーナー４の引出し方向への移動範囲を規制するリテーナー前ストッパー（図示せず。）が形成されている。
【００１９】
中間レール２は、固定側レール１とほぼ同長で、基板２０と上下折曲縁２１、２１より固定側レール１と同方向の略チャンネル型に形成され、上下折曲縁２１、２１の外面に、摺動方向に渡って前記ボール４４・・・が転動する外面側ボール摺動溝を有し、上下折曲縁２１、２１の内面に、摺動方向に渡ってボール５４・・・が転動する内面側ボール摺動溝を有している。
そして、基板２０の収納側の上下端部には、中間レール２の最大引出し時に、前記固定側レール１のリテーナー前ストッパー（図示せず。）に引出し側端部が当接したボールリテーナー４の収納側端部に当接して、中間レール２の最大引出し量を規制するリテーナー後ストッパー２５、２５が形成され、基板２０の引出し側端部に、移動側メンバー３が最大伸長状態となった時、ボールリテーナー５の引出し側端部が当接するボールリテーナー前端ストッパー（図示せず。）が形成されている。
【００２０】
移動側レール３は、固定側レール１とほぼ同長に形成され、ボールリテーナー５に保持されたボール５４・・・を介して摺動自在な大きさで、金属製の細条板の短手両端部を外向き円弧状に折り曲げて形成された、外面長手方向にボール５４・・のボ−ル摺動溝を有する上下折曲縁３１、３１と基板３０より断面略Ｃ字型に形成されている。
【００２１】
そして、基板３０の収納側端部には、移動側レール３の最大引出し時に、前記中間レール２のボールリテーナー前端ストッパー（図示せず。）に引出し側端部が当接したボールリテーナー５の収納側端部に当接して、移動側レール３の最大引出し量を規制するボールリテーナー後端ストッパー（図示せず。）が形成されている。
【００２２】
ボールリテーナー５は、帯状金属板にて中間レール２の半分程度の長さとし、前記中間レール２と移動側レール３の基板２０、３０間に挿入可能な大きさのコ字形基板５０と、コ字形基板５０の両端部よりＬ字形に突出し、中間レール２と移動側レール３の各上下折曲縁２１、２１、３１、３１間に位置する上下突出縁５１、５１より断面略コ字形に形成され、上下突出縁５１、５１の摺動方向に複数個のボール５４・・・を回転自在に保持している。
【００２３】
プッシュ式スライドレール１００は、上記の如く構成され、固定側レール１に対する中間レール２の引出し側方向への摺動、中間レール２に対する移動側レール３の引出し側方向への摺動は次のようになる。
中間レール２が固定側レール１に対し引出し側に摺動すると、同時に、ボールリテーナー４も中間レール２の移動量の半分の移動量をもって引出し側に移動し、やがて、ボールリテーナー４の引出し側端部は固定側レール１のリテーナー前ストッパー（図示せず。）に当接して停止し、同時に、中間レール２のリテーナー後ストッパー２５、２５がリテーナー前ストッパー（図示せず。）に当接したボールリテーナー４の収納側端部に当接して停止する。
【００２４】
一方、中間レール２に対し移動側レール３が引出し側に摺動すると、ボールリテーナー５も移動側レール３の移動量の半分の移動量をもって引出し側に移動し、やがて、ボールリテーナー５の前端が中間レール２のボールリテーナー前端ストッパーに当接して停止し、この停止したボールリテーナー５の収納側端部に移動側レール３のボールリテーナー後端ストッパーが当接して、移動側レール３が停止する。
【００２５】
一方、固定側レール１に対する中間レール２の収納側方向への摺動、中間メンバー２に対する移動側レール３の収納側方向への摺動は次のようになる。中間レール２が固定側レール１に対し収納側に摺動すると、同時にボールリテーナー４も中間レール２の移動量の半分の移動量をもって収納側に移動し、やがて、中間レール２のリテーナー後ストッパー２５、２５が固定側レール１の収納側端部に取付けられたラッチ部材６０の一部に当接し中間レール２の摺動が停止する。
【００２６】
一方、中間レール２に対し移動側レール３が収納側に摺動すると、ボールリテーナー５も移動側レール３の移動量の半分の移動量をもって収納側に移動し、やがて、移動側レール３の引出し側端部に形成された移動側レールストッパー３３が中間レール２の引出し側端面に当接し、中間レール２を伴って押しバネ７の弾性に抗して収納側に摺動し、収納側端部に取付けられた案内部材９がラッチ部材６０の一部に当接し移動側レール３が停止する。そして、ラッチ部材６０の上下の押しバネ７、７によって中間レール２及び移動側レール３はやや押し戻され、案内部材９がラッチ部材６０の係止部材８と係合し、中間レール２と移動側レール３の収納状態が保持される。
【００２７】
ラッチ部材６０の保持部材６は、上下端部に固定側レール１の上下折曲縁１１、１１の内面に嵌合する上下嵌合突部６２、６２を上下端部に有し、固定側レール１の内面に位置する取付け基板６１と、上下嵌合突部６２、６２の引出し側に突出して連設された上下押しバネ保持筒６３、６３と、上下バネ保持筒６３、６３と所定間隔を有してやや内側で、引出し側に突出して取付け基板６１連設された上下嵌入柱６４、６４と、上下嵌入柱６４、６４間で、引出し側に突出し、取付け基板６１の上下方向略中央部に連設された連結嵌合部６５と、取付け基板６１の収納側端部に連設された、取付け状態で固定側レール１の収納側端面を閉塞する端面閉塞部６６より合成樹脂材にて一体に形成されている。
【００２８】
そして、上下嵌合突部６２、６２、上下押しバネ保持筒６３、６３、上下押しバネ保持筒６３、６３に取付けられる上下押しバネ７、７、上下押しバネ７、７に設けられる上下嵌合キャップ７１、７１、上下嵌入柱６４、６４は上下方向で対向した同形に形成されているので以下上側についてのみ説明する。
上嵌合突部６２には、上押しバネ保持筒６３の上押しバネ保持面６３１に連通する上押しバネ保持孔６２１が形成され、上押しバネ保持筒６３の引出し側端部には、上押しバネ７が上押しバネ保持筒６３より脱落するのを防止するための上脱落防止突部６３２が形成されている。
【００２９】
上押しバネ７は、上嵌合突部６２の摺動方向のほぼ全幅にわたって形成された上押しバネ保持孔６２１と上押しバネ保持筒６３を合わせた長さよりやや長めの圧縮バネよりなり、引出し側に合成樹脂材からなる上嵌合キャップ７１が取付けられている。
【００３０】
上嵌合キャップ７１は、上押しバネ７の長さのほぼ半分程度の長さを有し、上押しバネ７内に嵌入し、上押しバネ７を直線状に保持するための嵌入保持柱７１１と、嵌入保持柱７１１の引き出し側端部に一体に形成された、上押しバネ７の引出し側端面を閉塞し、上押しバネ保持面６３１の形状に合致する上嵌合頭部７１２と、上嵌合頭部７１２の外方に突出し、上押しバネ７による所定の弾性で、上脱落防止突部６３２の収納側端面に当接して、上押しバネ７と上嵌合キャップ７１が上押しバネ保持筒６３から脱落するのを防止する上内面側当接突部７１２を有している。
【００３１】
そして、上押しバネ７は、移動側レール３と中間レール２の収納側への摺動にともなって、中間レール２のリテーナー後ストッパー２５が、上嵌合頭部７１２の引出し側端面に当接することで所定寸法に圧縮され、案内部材９とラッチ部材６０の係止状態を維持するため、中間レール２を介して移動側レール３に所定の弾性を付与すると同時に、係止状態が解除されると、中間レール２を介して移動側レール３が引出し方向に摺動するための弾性を付与する。
【００３２】
上嵌入柱６４は、引出し側端部が略円錐状とした全体が円柱状に形成されている。
そして、ラッチ部材６０の係止部材８と案内部材９が係止した状態で、移動側レール３の上折曲縁３１の外面長手方向に形成されたボール５４・・・のボール摺動溝の収納側端部の上面に上嵌入柱６４が弾性的圧接し、上嵌入柱６４の引出し側端部が、中間レール２の上折曲縁２１、２１の内面に、摺動方向に渡って形成されたボール５４・・・が転動する内面側ボール摺動溝の収納側の下面間に嵌入することで、ラッチ部材６０と案内部材９の係止状態で、中間レール２の収納側端部から収納方向に飛び出した移動側レール３の収納側部分（ボール５４・・・が位置しない部分）の強度の低下を防止している。
【００３３】
連結嵌合部６５には、固定側レール１に取付けられた状態で、固定側レール１の収納側端部近傍の基板１０に形成された、移動側レール３方向に突出する連結用係合突起１０１と係合する連結用係合孔６５１が形成されている。
【００３４】
取付け基板６１には係止部材８を上下方向に移動可能に保持するための案内嵌合部６７が形成されている。
案内嵌合部６７は、上嵌入柱６４間で連結嵌合部６５よりに位置して前後方向に貫通する
案内嵌合孔６７１と、案内嵌合孔６７１の引出し側、収納側の端面より、所定寸法引出し側及び収納側に位置する所定深さの左右支持面６７９、６７９を有し、案内嵌合孔６７１の外側レール１の基板１０側に連設された案内嵌合凹部６７２と、案内嵌合凹部６７２より浅い深さで、嵌合凹部６７２の上方に連設され、引出し側と収納側に位置すする２つの左右上下案内溝６７３、６７３と、左右上下案内溝６７３、６７３間に形成された案内支持突部６７４より形成されている。
【００３５】
そして、案内嵌合孔６７１の引出し側及び収納側方向の中央部で、案内嵌合凹部６７２の下端で外側レール１の基板１０側の端面から、案内支持突部６７４と所定間隔（後ほど説明する係止部材取付け用間隙８００）を有する位置まで上方に突出する弾性素子８０が取付け基板６１と一体に形成されている。
【００３６】
弾性素子８０は、取付け基板６１との連設部分（保持部材６との連設部分）から遠ざかる（案内支持突部６７４に近づく）に従って、固定側レール１の基板１０から離れる方向に傾斜し、前後方向に所定の弾性を付与された状態で、所定厚みに成型されている。
【００３７】
案内嵌合部６７に取付けられる係止部材８は、案内嵌合孔６７１に嵌合し、上下方向に所定距離移動可能な上下寸法で、弾性素子８０の反対方向に所定寸法突出する係止ピン８１を有する案内嵌合凸部８２と、案内嵌合凸部８２と同じ高さで、案内嵌合凹部６７２とほぼ同じ深さの厚みで、案内嵌合凹部６７２に嵌合する基板凸部８３と、基板凸部８３の（収納側と引出し側の端部で所定間隔（案内支持突部６７４が嵌合する間隔）を有して上方に突出し、前記左右上下案内溝６７３、６７３内に合致し、係止部材８が最も上方に位置した状態で、上端が上嵌合凸部６２の上方に突出しない程度の高さに形成された左右案内角部８４、８４より形成されている。
【００３８】
そして、案内嵌合凸部８２の係止ピン８１が突出する面と反対側の面（基板凸部８３の固定側レール１の基板１０側の面）には、前記弾性素子８０が嵌合する弾性素子嵌合凹部８５が形成されている。
すなわち  、表側の面から固定側レール１の基板１０側に力を加えて、弾性素子８０を弾性変形させることで、係止部材取付け用間隙８００を広げ、この広げられた係止部材取付け用間隙８００に、係止ピン８１を表側方向にして、左右案内角部８４、８４を摘んで係止部材８をややかたむけた状態で斜め方向から、案内嵌合凸部８２と基板凸部８３を案内嵌合孔６７１と案内嵌合凹部６７２に嵌入した後、弾性素子８０に加えた力を取り除くと、弾性素子８０は弾性素子嵌合凹部８５に嵌合し、左右案内角部８４、８４は、左右上下案内溝６７３、６７３に嵌合し、係止部材８は弾性素子８０の弾性力で表側方向に押しやられる。
【００３９】
そして、基板凸部８３の表側の面は案内嵌合凹部６７２の底面６７０、６７０に当接しているので、所定の強さで係止部材８は案内嵌合凹部６７２所定の強さで押し付けられた状態で保持され、外部から力が負荷されない限り上下に移動する事はない。
【００４０】
ラッチ部材６０は上記の如く構成され、固定側レール１の収納側端部から差し込まれ、上下嵌合凸部６２、６２が固定側レールの基板１０と上下折曲縁１１、１１の角部内面に嵌合し、端面閉塞部６６が固定側レール１の収納側端面に当接した状態で、固定側レール１に形成された連結用係合突起１０１に連結用係合孔６５１が係合し、固定側レール１の収納側端部に取付けられる。
【００４１】
移動側レール３の収納側端部に取付けられ、ラッチ部材６０と係脱自在となる案内部材９は合成樹脂材より一体に形成されている。
案内部材９は所定の厚みを有する案内基板９０と、案内基板９０に形成された収納側端部が開口し、係止ピン８１の先端部分が挿通する案内凹部９１より形成されている。
そして案内凹部９１の上下方向略中央部には横向き略ハート形の案内突部９２が形成されている。
【００４２】
案内基板９０は、移動側レール３の基板３０方向に突出し、移動側レール３の収納側端面の切欠き部に合致し、切欠き部端面を閉塞する収納側端面に形成された端面突出縁９３と、端面突出縁９３の所定寸法引出し側で、移動側レール３の基板３０に形成された取付孔（図示せず。）に嵌合する嵌合突起９４と、移動側レールの基板３０と上下折曲縁３１、３１の角部に密嵌する上下嵌合縁部９５、９５を有し、移動側レール３の収納側端部で、上下折曲縁３１、３１間の基板３０内面に強圧的に嵌合して取付けられる。
【００４３】
案内凹部９１は、係止部材８の上下動可能寸法に対応する上下寸法を有して、収納側端部が開口する出入口挿通部９１０と、第１案内壁面９１１と、第１上壁面９１２と、第１下壁面９１３、係止解除壁面９１４と、第１上壁面９１２と、第２上壁面９１５と、第２下壁面９１６と、第１押上げ壁面９１７と第２押上げ壁面９１８より形成されている。
【００４４】
すなわち、第１案内壁面９１１は、出入挿通用開口９１０の上端から引出し側に向かって緩やかに下方に傾斜し、さらに、案内突部９２の上方辺りから係止ピン８１が通過可能な間隙を案内突部９２の上方の引出し側に有し、案内突部９２の上端とほぼ同じ高さ位置まで下方に円弧状に傾斜している。
【００４５】
第１上壁面９１２は、第１案内壁面９１１の引出し側端部から、案内突部９２の上端とほぼ同じ高さ位置で引き出し側に所定長さ延出され、第１下壁面９１３は、係止ピン８１が通過可能な間隙を有して第１上壁面９１２の下方に平行に形成され、収納側端部が第１案内壁面９１１の引出し側端部より、係止ピン８１が載置可能な長さ収納側にやや突出している。
【００４６】
係止解除壁面９１４は、第１下壁面９１３の収納側端部から下方に引出し方向で案内突部９２の下端とほぼ同じ高さ位置まで傾斜し、第２上壁面９１５は、係止解除壁面９１４の引出し側端部から、案内突部９２の下端とほぼ同じ高さ位置で第１上壁面９１２と同様に引き出し側に所定長さ延出され、第２下壁面９１６は、係止ピン８１が通過可能な間隙を有して第２上壁面９１５の下方に平行に形成され、収納側端部は案内凸部９２の収納側端部よりやや収納側まで達している。
【００４７】
第１押上げ壁面９１７は、第２下壁面９１６の収納側端部から、案内凸部９２の下端よりやや高い位置まで、収納側に向かって上方に傾斜し、案内突部９２の後端間に、係止ピン８１が通過可能な間隙を有し、第２押上げ壁面９１８は、第１押上げ壁面９１７の上端から収納側方向にむかって下方に傾斜している。
【００４８】
案内突部９２は、第１上壁面９１２と第２下壁面９１６間で、係止ピン８１が通過可能な間隙を有して形成され、収納側端部に下端から上方に向かって引出し側に傾斜する押上げ案内面９２１と、押上げ案内面９２１の上端から下方に向かって収納側に傾斜する係止案内面９２２と、係止案内面９２２の下端部に連設された、下方に向かって引出し側に傾斜する係止面９２３より形成されている。
【００４９】
第１実施例は上記の如く構成され、中間レール２のリテーナー後ストッパー２５、２５が上下押しバネ７、７の上下嵌合頭部７１２、７１２に当接し、移動側レール３の移動側レールストッパー３３が中間レール２の引出し側端面に当接した状態（図１０に示す状態）
から中間レール２で上下押しバネ７、７を圧縮しながら、移動側レール３を押し込んでいくと、係止部材８の係止ピン８１に案内凸部９２の押上げ案内面９２１が当接し、移動側レール３（案内部材９）の収納方向への移動にともなって、係止ピン８１（係止部材８）は押上げ案内面９２１に沿って上方に移動し、案内凸部９２を乗り越える位置に達する。（係止ピン８１が最も押上げられた状態。図１１に示す状態）
【００５０】
そして、移動側レール３をさらに収納方向に押し込むと、係止ピン８１は第１案内壁面９１１の引出し側端部に沿って下方に移動し、第１上壁面９１２と第１下壁面９１３間に位置し、移動側レール３と中間レール２が最も押し込まれた（移動側レール３の摺動が停止した）状態で、収納力を解除すると、中間レール２（移動側レール３）は上下押しバネ７、７の弾性力で引出し方向に押し戻され、第１上壁面９１２の収納側端部が係止ピン８１の箇所を通過して（図１２に示す状態）から、係止案内面９２２が係止ピン８１に当接し、係止案内面９２２に沿って、係止ピン８１を押し下げ、係止面９２３に当接し（ラッチ部材６０と案内部材９が係止状態となる。図１３に示す状態。）、移動側レ−ル３と中間レール２は固定側レール１に対して収納状態が維持される。
【００５１】
次ぎに、移動側レール３と中間レール２を引出す時は、図１３に示す状態から移動側レール３を上下押しバネ７、７の弾性に抗して収納側に押し込むと、係止ピン８１に係止解除壁面９１４が当接し、係止ピン８１は係止解除壁面９１４にそって押し下げられる。（図１４に示す状態。）
この状態で収納方向への付加を取り去るか、あるいは、さらに、係止ピン８１が、第２上壁面９１５と第２下壁面９１６間の所定位置（移動側レール３が停止する位置）まで最も押し込んで付加を取り除くと、中間レール２（移動側レール３）は上下押しバネ７、７の弾性力で引出し方向に所定位置まで押し戻される。
【００５２】
この時、第２下壁面９１６の収納側端部が係止ピン８１の箇所を通過しさらに、第１押上げ壁面９１７が係止ピン８１に当接し、第１押上げ壁面９１７に沿って、係止ピン８１は上方に押しやられる状態（図１５に示す状態）を経て、係止部材８（係止ピン８１）は、弾性素子８０の弾性によって、案内嵌合凹部６７２の底面６７０、６７０に弾性的に押付けられているので、所定高さに維持される。（図１０に示す高さ位置）
【００５３】
すなわち、第１押上げ壁面９１７は、案内凸部９２の押上げ案内面９２１の下端部やや上方の高さ位置に、移動側レール３が収納されるとき、係止ピン８１が確実に当接するよう、移動側レールの引出し時、係止ピン８１の高さ位置を規定するものである。
【００５４】
一方、係止部材８を保持部材６に取付けただけでは、係止ピン８１は不定の高さ位置となっているので、この状態で固定側レール1にラッチ部材６０が取付けられ、移動側レール３が収納され場合、前記したように、係止ピン８１が確実に案内凸部９２の押上げ案内面９２１に当接するとは限らない。
次ぎに、当初、係止ピン８１が案内凸部９２より高い位置にあった場合と、案内凸部９２より低い位置にあった場合について説明する。
【００５５】
係止ピン８１が、案内凸部９２より高い位置にあった場合、出入口挿通部９１０は、係止部材８の上下動可能寸法に対応する上下寸法を有して収納側端部が開口し、第１案内壁面９１１は、出入挿通用開口９１０の上端から引出し側に向かって緩やかに下方に傾斜し、さらに、案内突部９２の上方辺りから係止ピン８１が通過可能な間隙を案内突部９２の上方の引出し側に有し、案内突部９２の上端とほぼ同じ高さ位置まで下方に円弧状に傾斜しているので、移動側レール３が収納方向に押込まれる、係止ピン８１は第１案内壁面９１１の収納側端部から引出し側端部に沿って下方に移動し、第１上壁面９１２と第１下壁面９１３間に位置し、移動側レール３と中間レール２が最も押し込まれた（移動側レール３の摺動が停止した）状態となる。
【００５６】
そして、収納力を解除すると、中間レール２（移動側レール３）は上下押しバネ７、７の弾性力で引出し方向に押し戻され、第１下壁面９１３の収納側端部が係止ピン８１の箇所を通過して（図１２に示す状態）から、係止案内面９２２が係止ピン８１に当接し、係止案内面９２２に沿って、係止ピン８１を押し下げ、係止面９２３に当接し（ラッチ部材６０と案内部材９が係止状態となる。図１３に示す状態。）、移動側レ−ル３と中間レール２は固定側レール１に対して収納状態が維持される。
【００５７】
係止ピン８１が、案内凸部９２より低い位置にあった場合、第２押上げ壁面９１８は上端が案内凸部９２の下端よりやや高い位置まで、引出し方向にむかって上方に傾斜するよう形成されているので、移動側レール３が収納方向に押込まれる、係止ピン８１は第２押上げ壁面９１８沿って上方に移動し、次に、案内凸部９２の押上げ案内面９２１が当接し、係止ピン８１（係止部材８）は、押上げ案内面９２１に沿って上方に移動し、案内凸部９２を乗り越える位置に達し（係止ピン８１が最も押上げられた状態。図１１に示す状態）、その後、係止面９２３に当接し（ラッチ部材６０と案内部材９が係止状態となる。（図１３に示す状態。）、移動側レ−ル３と中間レール２は固定側レール１に対して収納状態が維持される。
【実施例２】
【００５８】
実施例２を図１６、図１７に基づいて説明する。
実施例２は、ラッチ部材６０の保持部材６と、係止部材８と、弾性素子８０以外は実施例１と同じである。
すなわち、保持部材６は、実施例１と同様、上下嵌合突部６２、６２と、取付け基板６１と、上下押しバネ保持筒６３、６３と、上下嵌入柱６４、６４と、連結嵌合部６５と、端面閉塞部６６より合成樹脂材にて一体に形成されている。
そして、実施例１の場合の弾性素子８０は、取付け基板６１との連設部分（保持部材６との連設部分）から遠ざかる（案内支持突部６７４に近づく）に従って、固定側レール１の基板１０から離れる方向に傾斜し、前後方向に所定の弾性を付与された状態で、取付け基板６１と一体に合成樹脂材にて所定厚みに成型されているが、実施例２の場合の弾性素子８０は後記する係止部材８に設けられており、実施例１の弾性素子８０に代わって、真直ぐ上方に突出する保持突片６８が形成されている。
【００５９】
実施例２の係止部材８は、実施例1と同様に、案内嵌合凸部８２と、基板凸部８３と、左右案内角部８４、８４と、係止ピン８１が形成されている。
そして、案内嵌合凸部８２の係止ピン８１が突出する面と反対側の面（基板凸部８３の固定側レール１の基板１０側の面）には、実施例１の弾性素子８０に代わる保持突片６８が嵌合する、弾性素子嵌合凹部８５と同形の保持突片合凹部８６が形成されている。
【００６０】
そして、実施例２の弾性素子８０、８０は、左右案内角部８４、８４の下端部が連設され
、上端部が左右案内角部８４、８４と所定の隙間を有し、左右方向（収納方向と引出し方向）に半円形に膨出してなり、保持部材６に形成された案内嵌合凹部６７２の左右支持面６７９、６７９に弾性的に圧接し、係止部材８を所定高さに維持する。
すなわち、表側の面から固定側レール１の基板１０側に力を加えて、保持突片６８を弾性変形させることで、係止部材取付け用間隙８００を広げ、この広げられた係止部材取付け用間隙８００に、係止ピン８１を表側方向にして、係止部材８をややかたむけた状態で斜め方向から、案内嵌合凸部８２と基板凸部８３を案内嵌合孔６７１と案内嵌合凹部６７２に嵌入し、同時に弾性素子８０、８０を扁平に変形させて、案内嵌合凹部６７２の左右支持面６７９、６７９間に嵌合する。
【００６１】
次ぎに、弾性素子８０、８０、保持突片６８に加えた力を取り除くと、弾性素子８０、８０は左右支持面６７９、６７９に弾性的に圧接し、保持突片６８は保持突片嵌合凹部８６に嵌合する。
そして、基板凸部８３の表側の面は案内嵌合凹部６７２の底面６７０、６７０に当接しているので、係止部材８は案内嵌合部６７に取付けられた状態で保持され、外部から力が負荷されない限り上下に不測に移動する事はない。
【産業上の利用可能性】
【００６２】
以上のように、本発明は、身体の一部で引出しを収納方向に押し込む操作で、移動側レールを固定側レールに対して係止状態となし、係止状態からさらに移動側レールを押し込む操作で、移動側レールの係止状態を解除し、所定位置まで手先を使わずに引出しを引出すことが出来る、いわゆるプッシュ式スライドレールの係止装置であるから、調理中の手先で引出し等の引き手に触れるのがはばかられる、特にシステムキッチンの調味料入れ用引出し等に広く利用する事が出来る。
【符号の説明】
【００６３】
１                固定側レール
１１、１１        上下折曲縁
１００            スライドレール
２                中間レール
３                移動側レール
６                保持部材
６０              ラッチ部材
６７２            案内嵌合凹部
６７９、６７９    左右支持面  
７                押しバネ
８                係止部材
８０              弾性素子
８１              係止ピン  
９                案内部材
【図１】
0005749567.tif 000002
【図２】
0005749567.tif 000003
【図３】
0005749567.tif 000004
【図４】
0005749567.tif 000005
【図５】
0005749567.tif 000006
【図６】
0005749567.tif 000007
【図７】
0005749567.tif 000008
【図８】
0005749567.tif 000009
【図９】
0005749567.tif 000010
【図１０】
0005749567.tif 000011
【図１１】
0005749567.tif 000012
【図１２】
0005749567.tif 000013
【図１３】
0005749567.tif 000014
【図１４】
0005749567.tif 000015
【図１５】
0005749567.tif 000016
【図１６】
0005749567.tif 000017
【図１７】
0005749567.tif 000018